(57)【要約】      （修正有）【課題】電気又は電子機器から休眠時間中に発生する待機電力によるエネルギー損失と人体接触時に感じる感電現象を根本的に遮断するための非接触電界感知及び遮断装置を提供する。【解決手段】入力電源を等電位に変換させるための等電位分離電圧降下素子と分離した等電位をグラウンド電位に転換させる等電位転換装置と等電位に分離した交流を直流に変えるための等電位整流装置と変換された等電位を判読するための接地電位判読装置と判読結果を警報灯及び警報音に出力するための電位表示装置と回路保護及び安全をはかるための過電圧保護装置と供給電源形式に合うように接地方式を選択するための接地転換装置と中性点接地と中性点接地選択可否を表示するための中性点接地表示装置と所定値以下に電流を制限するための過電流遮断装置と被接地体と連結して電界波をとり除くための接地端子とで構成される。【選択図】図７
2011167051.tif 000002
【特許請求の範囲】
【請求項１】
入力電源を等電位に変換させるための等電位分離電圧降下素子と分離した等電位をグラウンド電位に転換させる等電位転換装置と等電位に分離した交流を直流に変えるための等電位整流装置と変換された等電位を判読するための接地電位判読装置と判読結果を警報灯及び警報音に出力するための電位表示装置と回路保護及び安全をはかるための過電圧保護装置と供給電源形式に合うように接地方式を選択するための接地転換装置と二つの入力線に同一電圧降下素子を結線して作った中性点接地と中性点接地選択可否を表示するための中性点接地表示装置と所定値以下に電流を制限するための過電流遮断装置と被接地体と連結して電界波をとり除くための接地端子(EARTH)とで構成されたことを特徴とする非接触電界感知及び遮断装置。
【請求項２】
等電位分離電圧降下素子の構成は、第１の入力電源端子に第１の回路保護素子の一方が結線され、他の一方は等電位転換装置である転換スイッチの第１の端子に結線され、等電位分離電圧降下素子は並列で結線され、一方は前記第１の回路保護素子に結線され、他の一方は等電位転換装置の転換スイッチの第３の端子に結線されるように回路構成を行い、第２の入力電源端子には第２の回路保護素子の一方が結線され、他の一方は等電位転換装置転換スイッチの第４の端子に結線されて等電位分離電圧降下素子は並列で結線され、一方は前記第２の回路保護素子に結線され、他の一方は等電位転換装置の転換スイッチの第６の端子に結線されることを特徴とする請求項１に記載の非接触電界感知及び遮断装置。
【請求項３】
等電位転換装置である転換スイッチの構成は、前記第１の端子及び第３の端子の共通点である第１の出力点は前記第１の端子と前記第３の端子に、前記第４の端子と前記第６の端子の共通点である第２の出力点は前記第４の端子と前記第６の端子に自動及び手動で転換されるように構成され、前記第１の出力点は等電位整流装置のブリッジ整流ダイオード入力の一方に結線し、前記第２の出力点はブリッジ整流ダイオードの反対入力の一方に結線されるように構成された、転換スイッチやリレーを適用することを特徴とする請求項１に記載の非接触電界感知及び遮断装置。
【請求項４】
接地電位判読装置の構成は、接地端子(EARTH)から放出される電界の変化を感知するためのディテクターアンテナ(detector
antenna)を具備し、増幅素子のベース(B)に結線し、ベースの一方にはダイオードを結線して前記増幅素子のエミッタ(E)と抵抗及びキャパシターを比較機(COMP)の(+)端子に接続して比較器の(-)端子には、３つの抵抗と１つのダイオードを通して所定の設定値を持つように構成することができ、またマイコンを通して接地電位判読装置を構成することを特徴とする請求項１に記載の非接触グラウンド電位感知及び電界波遮断装置。
【請求項５】
等電位転換装置である転換スイッチを転換させる代わりに接地電位判読装置の判読結果により、電気または電子器機の電源プラグ方向だけを反対方向に変えてコンセントに挿すようにしたことを特徴とする請求項１に記載の非接触電界感知及び遮断装置。
【請求項６】
過電圧保護装置と接地転換装置の構成は、等電位転換装置の転換スイッチの前記第１の出力点と第２の出力点のいずれか一方に過電圧保護装置の一方が並列で結線され、他の一方は、接地転換装置の転換スイッチの第１の端子に結線して接地電位判読装置の判読結果により接地転換装置の第１の出力点は第１の端子と第３の端子に転換されるように構成し、第２の出力点は第４の端子と第６の端子に転換されるように構成することをスイッチやリレーを適用することを特徴とする請求項１に記載の非接触電界感知及び遮断装置。
【発明の詳細な説明】
【技術分野】
【０００１】
本発明は電気または電子器機から放出される電界波の影響から人体を保護し、電気または電子器機の動作及び休眠時間中の待機電力により不必要に消費される電力浪費を減らすために成された発明であり、産業上利用分野が広い非接触電界感知及び遮断装置に関するものである。
【背景技術】
【０００２】
以前は、図２で示す通り、電源線の中からグラウンド電位を探すためにネオン管(NEON-LAMP)の端子の一方を接地端子に接続し、そのネオン管のもう一方の端子には人体にタッチ(接触)した状態で入力電源線に結線された接動部を転換させ、ネオン管が消燈する地点を接地電位点として探し出し、これを被接地体(接地を必要とする電位体)に印加することで接地を成立させたもの（例えば、特許文献１参照。）、図３で示す通り、マイコンを利用した自動接地方式でも電源回路から放出される電界の撹乱を遮断するために一時的に周辺電源を遮断してトランスを利用した別途電源回路が必要もの、などがあった（例えば、特許文献２参照。）。
また、図４で示す通り、大地電位印加手段として人体タッチ板を具備しなければならないなど（例えば、特許文献３参照。）、回路構成が複雑で誤動作が多く、電源線接地方式の具現において多くの問題点があった。
【０００３】
このような問題点を解決するために、図１で示す通り、本発明の発明者が先に出願した登録実用新案 0122820 電磁波遮断遮蔽装置(図1参照)は転換スイッチを具備し、順次に入力電源線端子を転換させ、別途具備された電界検出装置を利用してグラウンド電位を判別するようにした電磁波遮蔽装置であることを特徴としたが（例えば、特許文献４参照。）、常時電磁波の接地状態を確認するためには電界検出装置を具備しなければならない不便さと、電気または電子器機の待機電力を遮断することができない強制接地方式を適用しなければならないという問題点があった。
【先行技術文献】
【特許文献】
【０００４】
【特許文献１】韓国公開特許 10-2009-0057540 石ベッド用電場遮蔽用接地電位感知装置。
【特許文献２】韓国公開特許 10-2007-0093193 電熱保温器の非接触電界波遮断装置 3ページ 28行〜4ページ 30行 ネオンランプを利用したグラウンド電位判読方式に対する問題点記述。
【特許文献３】韓国登録特許 10-0572230 「電源接地装置及び漏電警報装置」公告全文 2ページ〜 3ページ ネオンランプ利用方法とその他従来技術に対する問題点記述。
【特許文献４】韓国登録実用新案0122820 電磁波遮断遮蔽装置(図1参照)。
【発明の概要】
【発明が解決しようとする課題】
【０００５】
本発明は上記のような問題点を解決するための非接触電界感知及び遮断装置に関するものであり、電気または電子機器から休眠時間中に発生する待機電力によるエネルギー損失と、人体接触時に感じる感電現象を根本的に遮断するために、電子または電気器機の電源部をグラウンド等電位に自動及び手動で転換させるための等電位転換装置を構成することと、印加される電気形式により誤動作なくグラウンド電位を感知するための接地電位判読装置と、その他構成装置の機能及び動作原理を具現することにその目的がある。
【課題を解決するための手段】
【０００６】
上記目的を達成するための非接触電界感知及び遮断装置の構成は、二つの入力電源線に供給される電源線の両端に等電位分離電圧降下素子を適用し、入力電源を等電位に分離して等電位整流装置により定電圧直流電源を作って供給し、供給電源形式により変化する電界強度を接地電位判読装置で判読し、判読結果により電位表示装置で警報音と警報灯により表示し、等電位転換装置を構成するスイッチを利用して自動及び手動でグラウンド電位に転換させるようにする。
また回路保護及び安全をはかるために過電圧保護装置により所定値以下に電圧を降下させ、接地転換装置を構成するスイッチを通して供給電源形式により自動及び手動で接地方式を選択し、中性点接地表示装置により選択状態を表示し、得られた出力は過電流遮断装置を通して所定値以下に電流を制限し、電気または電子機器に放出される電界波を接地端子(EARTH)を通して安全に吸収するように考案された非接触電界感知及び遮断装置を構成することとする。
上記等電位転換装置や接地転換装置は転換スイッチの他にもリレーや無接点スイッチを使用することもでき、接地電位判読装置もやはりオーピーアンプ(OP AMP)を利用したり、マイコンを利用して制御することができる。
【発明の効果】
【０００７】
本発明を電気または電子機器に適用すれば、電場発生原因を根本的に遮断することができ、電界波による感電現象から人体を保護し、電気または電子器機の動作及び休眠時間中の接地端子や使用器機の本体を通して大地へと不必要に消費される待機電力を遮断することができる。
以前の人体接触を通したグラウンド電位検知方式から脱皮した非接触グラウンド電位感知及び遮断方式であり、以前の複雑な回路構成とグラウンド電位を感知するための別途遮断装置及びトランスが不必要な発明であり、電気または電子機器の電源部をグラウンド等電位に自動及び手動で転換させるように接地電位判読装置を構成することができ、回路占有空間が小さく、製造原価を下げることができる非接触電界感知及び遮断装置である。
【図面の簡単な説明】
【０００８】
【図１】本発明者が先に出願した登録実用新案 0122820 電磁波遮断遮蔽装置図。
【図２】公開特許 10-2009-0057540 石ベッド用電場遮蔽用接地電位感知装置図。
【図３】公開特許 10-2007-0093193 電熱保温器の非接触電界波遮断装置図。
【図４】登録特許 10-0572230 「電界接地装置及び漏電警報装置」実施図。
【図５】実施例１の構成図。
【図５ａ】本発明の(実施例1)の電気的流れ図。
【図５ｂ】本発明の(実施例1)の電気的流れ図。
【図６】ディテクターアンテナの回路図。
【図６ａ】本発明の(実施例2)の電気的流れ図。
【図７】本発明による装置別構成図。
【図８】実施例３の構成図。
【図８ａ】本発明の(実施例3)の電気的流れ図。
【図８ｂ】本発明の(実施例3)の電気的流れ図。
【図９】本発明の接地電位判読装置(8;7-80)の構成図。
【図１０】本発明の詳細図。
【発明を実施するための形態】
【０００９】
本発明の実施例による非接触電界感知及び遮断装置の構成について図7を参考にして詳しく説明することとする。なお、以下、本実施形態及び実施例において、「Hot line」とは、 Ground(=Earth)lineを基準として AC 110V 〜 220Vの電界が供給される電源線を意味し、「Cool line(ニュートラルライン)」とは、Ground(=Earth)lineと等しい0Vの電界が供給される電源線を意味し、「等電位」とは、ブリッジダイオード両入力点に印加される電位をグラウンド(EARTH)を基準として同一電位がかかるように等電位電圧降下素子(1;7-10)と等電位転換装置(2;7-20)を利用して自動及び手動で設定された電位を意味し、「NTC(回路保護素子)」とは、温度が上昇するほど抵抗値が低くなる陰温度係数を持つ半導体素子を意味し、「PTC」とは、
温度が上昇するほど抵抗値が高くなる陽温度係数を持つ素子を意味するものとする。
図7において入力電源端子AC1に回路保護素子NTC1の一方が結線され、他の一方は等電位転換装置(2;7-20)の(SW1)１番端子に結線され、等電位分離電圧降下素子(1;7-10) (C1,R1)は並列で結線され、一方は回路保護素子NTC1に結線され、他の一方は等電位転換装置(2;7-20)の(SW1)３番端子に結線されるように回路構成を行う。
入力電源端子AC2には回路保護素子NTC2の一方が結線され、他の一方は等電位転換装置(2;7-20)の(SW1)４番(回)端子に結線され、等電位分離電圧降下素子(1;7-10) (C2,R2)は並列で結線され、一方は回路保護素子NTC2に結線され、他の一方は等電位転換装置(2;7-20)の(SW1)６番端子に結線されるように回路構成を行う。
【００１０】
等電位転換装置(2;7-20)である転換SW1の共通点である出力点２は１番と３番端子に、出力点５は４番と６番端子に連動して転換されるようにし、出力点２は等電位整流装置(3;7-30)のブリッジ整流ダイオード入力の一方(D2,D1)に連結し、出力点５は等電位整流装置(3;7-30)のブリッジ整流ダイオードの反対入力の一方(D3,D4)連結されるように結線する。
等電位整流装置(3;7-30)の構成はブリッジ整流ダイオード(D1,D2,D3,D4)の出力点(D1,D4)に電圧降下素子R4の一方を結線し、その出力点にツェナーダイオードD5などの定電圧素子を極性に合わせて一極を結線し、他の一極はブリッジ整流ダイオードの他の出力点D2,D3端子に結線して直流定電圧を得るように回路構成を行う。
【００１１】
図7の過電圧保護装置(4;7-40)は等電位転換装置(2;7-20)の(SW1)出力点５に電圧降下素子(R3,C10)の一方が並列で結線され、他の一方は接地転換装置(5;7-50)の (SW2)１番端子に結線する。
接地転換装置(5;7-50)は出力点２は１番と３番端子に転換されるように構成し、出力点５は４番と６番端子に転換されるように構成する。
中性点接地(6;7-60)の構成は二つの入力電源端子AC1とAC2の回路保護素子であるNTC1、NTC2の一方に電圧降下素子(R5,C6)と(R6,C7)をそれぞれ並列で結線し、その一方を中点として接地転換装置(5;7-50)３番端子と締結させる。
【００１２】
図7の過電流遮断装置(7;7-70)は、所定の設定値以上の電流が流れないように制御する素子であり、一方は接地転換装置(5;7-50)の出力点２番端子と締結し、その出力点の一方は接地端子(EARTH)(11;7-110)に結線されて電界波を吸収するように構成する。
図7の接地電位判読装置(8;7-80)は、比較器(COMP)の(+)端子５には抵抗(R9)及びキャパシター(C8)とディテクターアンテナ(detector antenna)を通して感知された電界を増幅するためのトランジスターQ2のエミッタ(E)端子が結線され、比較器(COMP)の(-)端子には抵抗(R8)、(R10)、(R11)とダイオード(D7)を通して所定の設定値を持つように構成する。接地電位判読装置(8;7-80)のディテクターアンテナ(detector antenna)を通して感知される電界がグラウンド電界の場合には、比較器(COMP)の(-)端子の一方に設定された設定値よりも比較機(COMP)の(+)端子に流入する電界による変化幅がより小さいため、比較器の出力端子１には何らの信号も出力しない。万一、ディテクターアンテナ(detector antenna)を通して感知される電界により比較機(COMP)の(-)端子の一方に設定された設定値よりも比較器 (COMP)の(+)端子にさらに高く作用すれば、比較器(COMP)の出力端子１から高(HI)信号が出力され、電位表示装置(9;7-90)に警報灯と警報音を出力させ、等電位転換装置(2;7-20)を自動及び手動でグラウンド電位に転換し誘導するように構成されたことを特徴とする非接触電界感知及び遮断装置である。
【実施例１】
【００１３】
上記の本発明の課題解決手段として記述した構成の実施例として、電源端子AC2にはニュートラルライン(Neutral Line)であるグラウンド電界が印加され、入力電源端子AC1にはホットライン(Hot line)に220Vの電界が印加される単相2線式の場合について詳しく説明することとする。
【００１４】
第一に、等電位転換装置(2;7-20)である転換(SW1)の出力点２は３番端子と、出力点５は４番端子と符合する場合について図 ５を参照して説明することとする。
入力電源端子AC2に流入するニュートラルライン(Neutral Line)であるグラウンド電界は回路保護素子(NCT2)を通して等電位転換装置(2;7-20)の切換スイッチ(SW1)連結点４番端子と符合する出力点５により等電位整流装置(3;7-30)のブリッジダイオード入力の一方である(D3,D4)に印加され、また他の入力電源端子AC1に流入するホットライン(Hot line)である220V電界は回路保護素子(NCT1)を経て一方に並列で結線された等電位分離電圧降下素子(1;7-10)である(C1,R1)により電圧降下が成され、等電位転換装置(2;7-20)の転換(SW1)の連結点３番端子と符合する出力点２を通して等電位整流装置(3;7-30)のブリッジダイオード入力の一方である(D1,D2)に印加される。
この場合、大地接地(EARTH)を基準として等電位整流装置(3;7-30)のブリッジダイオード入力の一方である(D1,D2)と(D3,D4)の間には数ボルト(V)以内の差でニュートラルライン(Neutral Line)であるグラウンド電界が印加される。
これはAC1に流入されるホットライン(Hot line)である220V電界が回路保護素子(NCT1)を経て一方に並列で結線された等電位分離電圧降下素子(1;7-10)(C1,R1)により電圧が降下し、AC2を通して流入するニュートラルライン(Neutral Line)であるグラウンド電界がブリッジダイオード入力の一方である(D1,D2)正端子間にもそのまま流入するためである。
このように流入したニュートラルライン(Neutral Line)であるグラウンド電界は等電位整流装置(3;7-30)を通して直流定電圧に変換され、接地電位判読装置(8;7-80)に安定した電源を供給すると同時に、等電位転換装置(2;7-20)である出力点５に一方が結線され、他の一方は接地転換装置(5;7-50)の(SW2)１番端子に結線された過電圧保護装置(4;7-40)である電圧降下素子(R3,C10)により所定値以下に電圧降下が成され、接地転換装置(5;7-50)の出力点２に結線された過電流遮断装置(7;7-70)により所定値以下に電流の流れを制限し、接地端子(EARTH)(11;7-110)を通して電界波を吸収する。
この過程において接地端子(EARTH)(11;7-110)を通して放出される電界の変化を接地電位判読装置(4;7-80)のディテクターアンテナ(detector antenna)で感知し、接地電位判読装置(8;7-80)比較機の一方に印加し、比較機入力の一方の設定値と比較し、設定値より低いグラウンド電位として判読されれば電位表示装置(9;7-90)の警報音及び警報灯を遮断して等電位転換装置(2;7-20)のスイッチ(SW1)を現状態に維持する。
現状態で接地転換装置(5;7-50)の転換SW2の出力点２が３番端子と、出力点５は４番端子に符合するように転換される場合(図８参照:中性点接地状態)には、接地転換装置(5;7-50)３番端子に結線された中性点接地(6;7-60)構成要素である電圧降下素子(R5,C6)と(R6,C7)が３番端子を中点としてそれぞれ並列で結線され、入力電源端子AC2とAC1を通してニュートラルライン(Neutral Line)であるグラウンド電界が来て、ホットラインに220Vの電界が中性点接地電圧降下素子によりホットラインである220Vの電界が一部電圧降下が成されて過電流遮断装置(7;7-70)と結線された接地端子(EARTH)(11;7-110)を通して印加され、接地端子(EARTH)(11;7-110)を通して放出される電界の変化はディテクターアンテナ(detector antenna)により感知され、接地電位判読装置(8;7-80)比較機の一方に印加されれば、上記記述した発明の構成により比較機入力の一方に設定された入力設定値より高い電界強度と判読され、電位表示装置(9;7-90)に警報灯及び警報音を出力させ、接地転換装置(5;7-50)の転換SW2の位置が間違っていることを知らせ、接地転換装置(5;7-50)の転換SW2を自動及び手動で転換させるように誘導する。
【００１５】
第二に、等電位転換装置(2;7-20)である転換SW1の共通点である出力点２が１番端子に、出力点５は６番端子に符合するように転換された場合(図６参照)には、入力電源端子AC2に流入するニュートラルライン(Neutral Line)であるグラウンド電界は回路保護素子(NCT2)を経て、一方に並列で結線された等電位電圧降下素子(1;7-10)である(C2,R2)により電圧降下が成され、事実上グラウンド電位は遮断された状態で等電位転換装置(2;7-20)の転換SW1の連結点６番端子と符合する出力点５により等電位整流装置(3;7-30)のブリッジダイオード入力の一方である(D3,D4)に印加され、入力電源端子AC1から印加されたホットライン(Hot line)220Vの電界は、回路保護素子(NCT1)を経て等電位転換装置(2;7-20)である連結点１番端子と符合する出力点２により等電位整流装置(3;7-30)のブリッジダイオード入力の一方である(D1,D2)にホットライン(Hot line)である220Vの電界が印加され、ブリッジダイオード(D1,D2)、(D3,D4)により数ボルト(V)以内で電圧が降下し、等電位整流装置(3;7-30)のブリッジダイオードの入力のもう一方である(D3,D4)正端子にもホットライン(Hot line)である220V電界がそのまま印加される。
これにより、最初に記述した例とは反対に作用して、等電位整流装置(3;7-30)のブリッジダイオード入力両端に等電位であるホットライン(Hot line)の220Vの電界が印加されるため、等電位整流装置(3;7-30)を通して整流された直流定電圧電源はグラウンド電位より高い高電位がそのまま放出され、接地電位判読装置(8;7-80)に供給されるようになる。
この時、等電位転換装置(2;7-20)である出力点５に電圧降下素子(R3,C10)から成る過電圧保護装置(4;7-40)の一方が並列で結線され、他の一方は接地転換装置(5;7-50)の転換SW2の１番端子と符合する出力点２に結線された過電流遮断装置(7;7-70)と接地端子(EARTH)(11;7-110)にはホットライン(Hot
line)である220V電界がそのまま放出される。
接地端子(EARTH)(11;7-110)から流入するホットライン(Hot line)である220V電界により接地電位判読装置(8;7-80)のディテクターアンテナ(detector antenna)周辺には高電位電界が形成されて比較機の入力の一方に印加され、接地電位判読装置(8;7-80)の比較機の一方に設定された入力設定値より高い電界強度が流入するため、この場合には電位表示装置(9;7-90)に警報灯及び警報音を出力して等電位転換装置(2;7-20)の転換装置(SW1)を自動及び手動でグラウンド電位に転換させるように誘導する。
また、現状態で接地転換装置(5;7-50)の転換SW2の出力点２が３番端子と、出力点５は４番端子に符合するように転換される場合(中性点接地状態)は上記に記述した最初の例と等しいため、省略する事にする。
【実施例２】
【００１６】
上記実施例1で記述したこととは反対に、電界端子AC2にはホットライン(Hot line)である220V電界が印加され、AC1にはニュートラルライン(Neutral Line)であるグラウンド電界が印加される単相2線式の場合に対して詳しく説明することにする。
第一に、等電位転換装置(2;7-20)であるSW1の出力点２は３番端子に、出力点５は４番端子に符合する場合(図６ａ、図９参照)に対して説明することにする。
入力電源端子AC2に流入するホットライン(Hot line)である220V電界は、回路保護素子(NCT2)を経て等電位転換装置(2;7-20)の(SW1)連結点４番端子と符号する出力点５により等電位整流装置(3;7-30)のブリッジダイオード入力の一方である(D3,D4)に印加される。
入力電源端子AC1に流入するニュートラルライン(Neutral Line)であるグラウンド電界は、回路保護素子(NCT1)を経て一方に並列で結線された等電位電圧降下素子(1;7-10)である(C1,R1)により電圧降下が成され、ニュートラルライン(Neutral Line)であるグラウンド電界が喪失した状態で等電位転換装置(2;7-20)の(SW1)連結点３番端子と符合する出力点２を通して等電位整流装置(3;7-30)のブリッジダイオード入力の一方である(D1,D2)に印加される。
入力電源端子AC2を通して供給されるホットライン(Hot line)である220V電界は(D3,D4)を経て(D2,D1)により数ボルト(V)以内で電圧降下が成立し、等電位整流装置(3;7-30)のブリッジダイオード入力の一方である(D1,D2)正端子にもホットライン(Hot line)である220V電界がそのまま放出されるが、これはAC1に流入するニュートラルライン(Neutral Line)であるグラウンド電界は回路保護素子(NCT1)を経て一方に並列で結線された等電位分離電圧降下素子(1;7-10)である(C1,R1)による電位差により、AC2を通して供給されるホットライン(Hot line)である220V電界がブリッジダイオード入力の一方である(D1,D2)正端子間にもそのまま放出される。
これにより等電位整流装置(3;7-30)のブリッジダイオード入力両端に等電位であるホットライン(Hot line)である220Vの電界が印加されるため、等電位整流装置(3;7-30)を通して整流された直流定電圧電源はグラウンド電位より高い高電位がそのまま放出されて接地電位判読装置(8;7-80)に供給され、また等電位転換装置(2;7-20)である出力点５に電圧降下素子(R3,C10)から成る過電圧保護装置(4;7-40)の一方が並列で結線され、他の一方は接地転換装置(5;7-50)の転換SW2の１番端子と符合する出力点２に結線された過電流遮断装置(7;7-70)と接地端子(EARTH)(11;7-110)にもホットライン(Hot line)である220V電界がそのまま放出される。
電源と接地端子(EARTH)(11;7-110)から流入するホットライン(Hot line)である220V電界は接地電位判読装置(8;7-80)のディテクターアンテナ(detector antena)周辺で高電位電界として作用して比較機入力の一方に印加され、接地電位判読装置(8;7-80)の比較機の他の一方に設定された入力設定値と比較し、設定値より高い電界強度と判読されれば、電位表示装置(9;7-90)を通して警報灯及び警報音を出力して等電位転換装置(2;7-20)のSW1を自動及び手動でグラウンド電位に転換させるように誘導する。
【００１７】
第二に、等電位転換装置(2;7-20)であるSW1の出力点２は１番端子に、出力点５は６番端子と符合するように転換された場合(図１０
参照)に対して説明することにする。
入力電源端子AC2に流入するホットライン(Hot line)である220V電界は回路保護素子(NCT2)を通して等電位転換装置(2;7-20)である転換SW1の連結点４番端子と符合する出力点５により等電位整流装置(3;7-30)のブリッジダイオード入力の一方である(D3,D4)に印加される。
電界端子AC1を通して供給されるニュートラルライン(Neutral Line)であるグラウンド電界は、回路保護素子(NCT1)を通して等電位整流装置(3;7-30)のブリッジダイオード入力の一方である(D1,D2)に印加され、(D3 ,D4)、(D2,D1)により数ボルト(V)以内で電圧が降下し、等電位整流装置(3;7-30)のブリッジダイオードの他の入力の一方である(D3,D4)正端子にもニュートラルライン(Neutral Line)であるグラウンド電界がそのまま印加されるが、これは電界端子AC2を通して流入するホットラインである220Vの電界が回路保護素子(NCT2)と一方に並列で結線された等電位電圧降下素子(C2,R2)による電圧降下が成され、ホットラインである220Vの電界の流入を遮断して等電位停留装置(3;7-30)のブリッジダイオード正入力両端には等電位であるニュートラルライン(Neutral Line)であるグラウンド電界がそのまま印加され、等電位整流装置(3;7-30)を通して接地電位判読装置(8;7-80)に安定した電源が供給される。
現状態に設定された等電位転換装置(2;7-20)である出力点５に電圧降下素子(R3,C10)で構成された過電圧保護装置(4;7-40)の一方が並列で結線され、他の一方は接地転換装置(5;7-50)の転換SW2の１番に結線され、これと符合して出力点２に結線された過電流遮断装置(7;7-70)と接地端子(11;7-110)を通して電界波を吸収する。
また、接地端子(11;7-110)を通して放出される電界の変化を接地電位判読装置(8;7-80)のディテクターアンテナ(detector antenna)で感知して接地電位判読装置 (8;7-80)比較機の一方に設定された入力設定値より低い場合に該当するので、電位表示装置(9;7-90)の警報音及び警報灯を遮断して等電位連動転換装置(2;7-20)のスイッチ(SW1)を現状態に維持する。
現状態で接地転換装置(5;7-50)の転換SW2の出力点２が３番端子と、出力点５は４番端子に符号するように転換される場合(中性点接地状態)には、上記に記述した最初の例と等しいので省略する事にする。
【実施例３】
【００１８】
電源端子AC1、AC2に皆ホットラインで110 Vの電界が供給される単相3線式の場合の本発明の構成及び実施例を(図８、図８ａ、図８ｂ、図１１ないし図１２、図１３)を参照して説明することにする。
等電位転換装置(2;7-20)である(SW1)の転換位置により第一に出力点２が３番に、出力点５は４番端子と符号する場合と、第二に等電位連動転換装置(2;7-20)である(SW1)の共通点である出力点２が１番端子に、出力点５は６番端子と符合するように転換された場合に対して電界の流れ図を記述すれば下のとおりである。
第一に、等電位転換装置(2;7-20)である(SW1)の転換点が出力点２は３番に、出力点５は４番端子と符合する場合(図１１参照)に対して説明することにする。入力電源端子AC2に流入するホットラインである110V電界は回路保護素子(NCT2)を経て等電位転換装置(2;7-20)の切換スイッチ(SW1)連結点４番端子と符合する出力点５により、等電位整流装置(3;7-30)のブリッジダイオード入力の一方である(D3,D4)に印加される。
入力電源端子AC1に流入するホットラインである110V電界は回路保護素子(NCT1)を経て一方に並列で結線された等電位電圧降下素子(1;7-10)(C1,R1)により電圧降下が成され、連動転換装置(2;7-20)の転換スイッチ(SW1)の連結点３番端子と符合する出力点２を通して等電位停留装置(3;7-30)のブリッジダイオード入力の一方である(D1,D2)に印加される。
入力電源端子AC2を通して供給されるホットラインである110V電界は(D3,D4)を経て(D2,D1)により数ボルト(V)以内で電圧が降下し、等電位整流装置(3;7-30)のブリッジダイオード入力の一方である(D1,D2)正端子にもホットラインである110V電界がそのまま放出されるが、これはAC1に流入されるホットラインである110V電界が回路保護素子(NCT1)を経て一方に並列で結線された等電位電圧降下素子(1;7-10)(C1,R1)により電圧が降下し、AC2を通して供給されるホットラインである110V電界が(D2,D1)正端子間にも放出され、等電位停留装置(3;7-30)のブリッジダイオード正入力両端には等電位であるホットラインである110Vの電界が印加される。
これにより等電位整流装置(3;7-30)を通して整流された直流定電圧電源はグラウンド電位より高い高電位がそのまま放出されて接地電位判読装置(8;7-80)に供給され、接地端子(EARTH)(11;7-110)から流入するホットラインである110V電界により接地電位判読装置(8;7-80)のディテクターアンテナ(detector antenna)周辺には高電位電界が形成されて比較機の入力の一方に印加され、接地電位判読装置(8;7-80)の比較機の一方に設定された入力設定値よりも高い電界強度が流入されるため、この場合には電位表示装置(9;7-90)に警報灯及び警報音を出力して等電位転換装置(2;7-20)のスイッチ(SW1)を自動及び手動でグラウンド電位に転換させるように誘導する。
【００１９】
第二に、等電位転換装置(2;7-20)である転換(SW1)の共通点である出力点２が１番端子に、出力点５は６番端子と符合するように転換された場合(図８ａ参照)には入力電源端子AC2に流入されるホットラインである110V の電界は回路保護素子(NCT2)を経て一方に並列で結線された等電位電圧降下素子(1;7-10)(C2,R2)により電圧降下が成され、等電位転換装置(2;7-20)の切換(SW1)連結点６番端子と符合する出力点５により等電位整流装置(3;7-30)のブリッジダイオード入力の一方である(D3,D4)に印加され、入力電源端子AC1から印加されたホットライン110Vの電界は電圧降下素子(NCT1)を経て等電位転換装置(2;7-20)である連結点１番端子と符合する出力点２により等電位整流装置(3;7-30)のブリッジダイオード入力の一方である(D1,D2)にホットラインである110Vの電界が印加されてブリッジダイオード(D1,D2)、(D3,D4)により数ボルト(V)以内に電圧が降下し、等電位整流装置(3;7-30)のブリッジダイオードの他の入力の一方である(D3,D4)正端子にもホットラインである110V電界がそのまま印加される。
これは電界端子AC2を通して流入するホットラインである110Vの電界が回路保護素子(NCT2)と一方に並列で結線された等電位電圧降下素子(1;7-10)である(C2,R2)によって電圧降下が成され、ホットラインである110Vの電界を遮蔽するのと同じ効果により等電位整流装置(3;7-30)のブリッジダイオード入力両端には等電位ホットラインである110Vの電界が印加され、等電位整流装置(3;7-30)を通して整流された直流定電圧電源はグラウンド電位より高い高電位がそのまま放出されて接地電位判読装置(8;7-80)に供給され、また接地端子(EARTH)(11;7-110)から流入するホットラインである110V電界により接地電位判読装置(8;7-80)のディテクターアンテナ(detector antenna)周辺には高電位電界が形成されて比較機の入力の一方に印加され、接地電位判読装置(8;7-80)の比較機の一方に設定された入力設定値より高い電界強度が流入されるため、この場合には電位表示装置(9;7-90)に警報灯及び警報音を出力して等電位転換装置(2;7-20)のスイッチ(SW1)を自動及び手動でグラウンド電位で転換させるように誘導する。
【００２０】
実施例3で等電位転換装置(2;7-20)である転換(SW1)を繰り返しても相変らず電位表示装置(9;7-90)で警報灯及び警報音が遮断されなければ、入力電源線のうちニュートラルライン(Neutral
Line)であるグラウンド電位がない単相3線式電源と判読し、接地転換装置(5;7-50)を利用して自動及び手動で中性点接地(6;7-60)で転換させる。(図８ｂ参照)現状態で接地転換装置(5;7-50)の転換SW2の出力点２が３番端子と、出力点５は４番端子に符合するように転換される場合(図８ｂ参照)には接地転換装置(5;7-50)３番端子に結線された中性点接地(6;7-60)の構成要素である電圧降下素子(R5,C6)と(R6,C7)が３番端子を中点にそれぞれ並列で結線され、入力電源端子AC2とAC1を通して同時にホットラインに110Vの電界が印加されるが、相互間で逆位相に作用して接地転換装置(5;7-50)３番端子にはグラウンド電位と等しい中性点接地となり、過電流遮断装置(7;7-70)と結線された接地端子(11;7-110)を通して放出される電界の変化が接地電位判読装置(8;7-80)のディテクターアンテナ(detector antenna)により感知されて接地電位判読装置(8;7-80)比較器の一方に印加されれば、上記に記述した発明の構成により比較器の入力の一方に設定された入力設定値より低い電界強度と判読されて電位表示装置(9;7-90)で警報灯及び警報音を遮断して接地転換装置(5;7-50)の転換SW2の位置を現状態に維持するようにする。この場合、接地転換装置(5;7-50)の転換SW2の出力点５は４番端子に結線されている中性点接地表示装置(10;7-100)と符合して中性点接地状態を表示する。
【産業上の利用可能性】
【００２１】
電気または電子器機から放出される電界波の影響から人体を保護し、電気または電子器機の動作及び休眠時間中の待機電力により不必要に消費される電力浪費を減らすときなどに使用でき、産業上利用分野が広い非接触電界感知及び遮断装置に適用できる。
【符号の説明】
【００２２】
1;7-10:等電位分離電圧降下素子
2;7-20:等電位転換装置
3;7-30:等電位整流装置
4;7-40:過電圧保護装置
5;7-50:接地転換装置
6;7-60:中性点接地
7;7-70:過電流遮断装置
8;7-80:接地電位判読装置
9;7-90:電位表示装置
10;7-100:中性点接地表示装置
11;7-110:接地端子(EARTH)
【図１】
2011167051.tif 000003
【図２】
2011167051.tif 000004
【図３】
2011167051.tif 000005
【図４】
2011167051.tif 000006
【図５】
2011167051.tif 000007
【図５ａ】
2011167051.tif 000008
【図５ｂ】
2011167051.tif 000009
【図６】
2011167051.tif 000010
【図６ａ】
2011167051.tif 000011
【図７】
2011167051.tif 000012
【図８】
2011167051.tif 000013
【図８ａ】
2011167051.tif 000014
【図８ｂ】
2011167051.tif 000015
【図９】
2011167051.tif 000016
【図１０】
2011167051.tif 000017